(57)【要約】【課題】  風向きの変化や見る方角の差異に影響されず、かつ構成が簡素な風速情報提供装置を提供する。【解決手段】  垂直に回転する回転軸１と、回転軸１の周方向に複数枚取り付けた羽根２と、を備える風速情報提供装置１００において、羽根２の側面に図形２０を描き、風速に応じて異なる視覚的効果を生ずることにより風速情報を提供する。回転軸１に発電機を設けたり、太陽光発電装置を設けることで、容易に発電機能を追加することができる。【選択図】  図１
2007003477.tif 000002
【特許請求の範囲】
【請求項１】
垂直に設けられた回転軸と、前記回転軸の周方向に複数枚取り付けられた羽根と、を備える風速情報提供装置において、
前記羽根の側面に少なくとも一つの図形が付されており、風を受けて前記羽根が回転すると、前記図形がその風速に応じて異なる視覚的効果を生ずることにより風速情報を提供することを特徴とする、風速情報提供装置。
【請求項２】
請求項１に記載の風速情報提供装置において、
前記図形は前記羽根の側面の縦方向に異なる位置に複数付され、前記複数の図形のうち少なくとも一つの図形は他の図形と異なる周方向の長さを有することを特徴とする、風速情報提供装置。
【請求項３】
垂直に設けられた回転軸と、前記回転軸の周方向に複数枚取り付けられた羽根と、を備える風速情報提供装置において、
前記羽根の側面に少なくとも一つの電灯が設けられ、風速に応じて前記電灯の点灯を制御することにより風速情報を提供することを特徴とする、風速情報提供装置。
【請求項４】
請求項３に記載の風速情報提供装置において、
前記電灯は前記羽根の側面の縦方向に異なる位置に複数設けられ、風速に応じて前記電灯の各々の点灯を制御することを特徴とする、風速情報提供装置。
【請求項５】
請求項１又は２に記載の風速情報提供装置であって、
前記羽根の側面に少なくとも一つの電灯が設けられ、風速に応じて前記電灯の点灯を制御することにより風速情報を提供することを特徴とする、風速情報提供装置。
【請求項６】
請求項１又は２に記載の風速情報提供装置であって、
前記電灯は前記羽根の側面の縦方向に異なる位置に複数設けられ、風速に応じて前記電灯の各々の点灯を制御することを特徴とする、風速情報提供装置。
【請求項７】
請求項１又は２に記載の風速情報提供装置であって、
前記回転軸の回転により電力を生成する発電機を備えることを特徴とする風速情報提供装置。
【請求項８】
請求項３〜６のいずれかに記載の風速情報提供装置であって、
前記回転軸の回転により電力を生成する発電機を備えることを特徴とする風速情報提供装置。
【請求項９】
請求項７又は８に記載の風速情報提供装置であって、
風速を数値で表示する風速表示器を備え、
前記風速表示器は前記発電機により生成された電力により稼働することを特徴とする、風速情報提供装置。
【請求項１０】
請求項１〜９のいずれかに記載の風速情報提供装置であって、
太陽光発電装置を備えることを特徴とする、風速情報提供装置。
【発明の詳細な説明】
【技術分野】
【０００１】
本発明は、風速に関する情報を提供する装置に関する。
【背景技術】
【０００２】
特許文献１は、外部からの電力配給やエンジン等の動力源を必要とせず稼働することを目的とする風警報装置１を開示する。この風警報装置１は、風車４と、発電機６と、点灯可能な表示素子２３を有する表示部７と、を備える。風車４が一定風速以上の風を受けた場合、表示部７の有する表示素子２３を点灯させることにより、風速が大きいことを知らしめる、とされている。また特許文献１は、表示部７の有する表示素子２３を風速の大小に応じて点滅させることに関しても述べている。
【特許文献１】特開平８−２６２０５０号公報（構成および点滅に関して０００７、０００８、図１）
【発明の開示】
【発明が解決しようとする課題】
【０００３】
しかし上記特許文献１の構成では、風速に関する情報を表示する表示部７が平面を成しているので、風警報装置１から風速に関する情報を得るためには、表示部７に対して相対的に好適な位置に移動する必要がある。
また、風車４や尾翼５、およびそれらを連結する水平パイプ３は、風向きに応じてその向きを追従させる必要がある。従って例えば風向きが頻繁に変化するような環境に風警報装置１が設置される場合、前記風車４等の向きが追従できない恐れがあり、風速を正確に把握できるか定かではない。また風警報装置１により風速情報を提供するためには、風速情報を必要としている人（以下、単に「観測者」ともいう。）の視線・注目を表示部７に集める必要があるが、このような環境に風警報装置１が設置される場合、前記風車４等の態様が頻繁に変化することから、表示部７が十分に注目され得ない恐れがある。
従って上記特許文献１の構成では、その設置される環境によっては風速が大きいことを警報する、という機能を十分に達成できない恐れがある。
【課題を解決するための手段及び効果】
【０００４】
本発明の解決しようとする課題は以上の如くであり、次にこの課題を解決するための手段とその効果を説明する。
【０００５】
第１の発明は、垂直に設けられた回転軸と、前記回転軸の周方向に複数枚取り付けられた羽根と、を備える風速情報提供装置において、
前記羽根の側面に少なくとも一つの図形が付されており、風を受けて前記羽根が回転すると、前記図形がその風速に応じて異なる視覚的効果を生ずることにより風速情報を提供する。
【０００６】
以上の構成により、風速に応じて前記図形の見え方が異なるので、視覚を通じて風速情報を提供することができる。また、風向きに応じて前記図形の見え方が異なることがない。また、前記風速情報提供装置を見る方角に応じて前記図形の見え方が異なることがない。また、羽根に図形を描くだけでよいので、構成が簡素となる。
【０００７】
第２の発明は、第１の発明に記載の風速情報提供装置において、前記図形は前記羽根の側面の縦方向に異なる位置に複数付され、前記複数の図形のうち少なくとも一つの図形は他の図形と異なる周方向の長さを有する。
【０００８】
以上の構成により、風速に応じて、少なくとも一つの前記図形は他の図形と異なる見え方を呈するので、より詳細な風速情報を提供することができる。
【０００９】
第３の発明は、垂直に設けられた回転軸と、前記回転軸の周方向に複数枚取り付けられた羽根と、を備える風速情報提供装置において、
前記羽根の側面に少なくとも一つの電灯が設けられ、風速に応じて前記電灯の点灯を制御することにより風速情報を提供する。
【００１０】
以上の構成により、風速に応じて前記電灯の点灯・消灯が制御されるので、視覚を通じて風速情報を提供することができる。また、風向きに応じて前記電灯の見え方が異なることがない。また、前記風速情報提供装置を見る方角に応じて前記電灯の見え方が異なることがない。加えて、夜間でも風速情報を提供することができる。
【００１１】
第４の発明は、第３の発明に記載の風速情報提供装置において、
前記電灯は前記羽根の側面の縦方向に異なる位置に複数設けられ、風速に応じて前記電灯の各々の点灯を制御する。
【００１２】
以上の構成により、より詳細な風速情報を提供することができる。
【００１３】
第５の発明は、第１又は第２の発明に記載の風速情報提供装置であって、
前記羽根の側面に少なくとも一つの電灯が設けられ、風速に応じて前記電灯の点灯を制御することにより風速情報を提供する。
【００１４】
以上の構成により、前記風速情報提供装置の設定場所の環境（明暗等）に関わらず、風速情報を提供することができる。
【００１５】
第６の発明は、第１又は第２の発明に記載の風速情報提供装置であって、
前記電灯は前記羽根の側面の縦方向に異なる位置に複数設けられ、風速に応じて前記電灯の各々の点灯を制御する。
【００１６】
以上の構成により、前記風速情報提供装置の設定場所の環境（明暗等）に関わらず、より詳細な風速情報を提供することができる。
【００１７】
第７の発明は、第１又は第２の発明に記載の風速情報提供装置であって、
前記回転軸の回転により電力を生成する発電機を備える。
【００１８】
以上の構成により、発電機能を有する風速情報提供装置とできる。
【００１９】
第８の発明は、第３〜第６の発明のいずれかに記載の風速情報提供装置であって、
前記回転軸の回転により電力を生成する発電機を備える。
【００２０】
以上の構成により、発電機能を有する風速情報提供装置とできる。また、前記電灯等で必要とする電力を前記発電機から生成された電力により賄うことができるので、電力を外部に依存することがない。したがって、前記風速情報提供装置の設置場所を自由に設定することができる。
【００２１】
第９の発明は、第７又は第８の発明に記載の風速情報提供装置であって、
風速を数値で表示する風速表示器を備え、前記風速表示器は前記発電機により生成された電力により稼働する。
【００２２】
以上の構成により、より詳細な風速情報を提供することができる。またそれに要する電力を外部に依存することがないので、前記風速情報提供装置の設置場所を自由に設定することができる。
【００２３】
第１０の発明は、第１〜第９の発明のいずれかに記載の風速情報提供装置であって、
太陽光発電装置を備える。
【００２４】
以上の構成により、発電機能を有する風速情報提供装置とできる。
【発明を実施するための最良の形態】
【００２５】
[第一実施形態]
以下、図１乃至図５に基づいて、本発明の第一実施形態に係る風速情報提供装置を説明する。
図１は本発明の一実施形態に係る風速情報提供装置の全体図である。
図２は本発明の一実施形態に係る風速情報提供装置の羽根の模式図である。
図３は本発明の一実施形態に係る風速情報提供装置の第１風速時に生じる視覚的効果の模式図である。
図４は本発明の一実施形態に係る風速情報提供装置の第２風速時に生じる視覚的効果の模式図である。
図５は本発明の一実施形態に係る風速情報提供装置の第３風速時に生じる視覚的効果の模式図である。
【００２６】
最初に、図１に基づいて風速情報提供装置１００の構成を説明する。
【００２７】
風速情報提供装置１００は垂直回転型風車となるよう以下のように構成されている。
即ち垂直に設けられた回転軸１と、回転軸１の周方向に複数枚取り付けた縦向きの羽根２と、回転軸１の上端に設けられたロータ３と、ロータ３に対して下向き又は上向きの斜めとなるようにロータ３に取り付けられ、羽根２の縦方向の上下４ヶ所を支持する４本のアーム４と、から構成されている。更にロータ３の下方において、回転軸１が軸受５およびスラスト軸受６を介してハウジング７に回転自在に支持されている。回転軸１と羽根２とロータ３とアーム４は共に回転する。またスラスト軸受６及びハウジング７は、図示しない固定手段によりベース８へ固定されており、ベース８は図示しない姿勢安定装置などにより基礎に設置されている。
【００２８】
図２に示すように羽根２は縦向きで且つ翼状の断面を有している。羽根２の側面のうち、外周側側面である一方面には流線が長くなる凸状面２ａが形成されており、一方、内周側側面である他方面には流線が短くなるフラット状面２ｂが形成されている。また羽根２の側面のうち、回転方向前端に該当する翼先端面２ｃは滑らかな曲面となっており、一方、回転方向後端に該当する翼後端２ｄは、その端部が徐々に薄くなるよう形成されている。
このような構成の風車とすることで、風向きのいかんに関わらず、風速に応じて回転速度を変化させることができるようになっている。
【００２９】
凸状面２ａには、縦方向に異なる位置に複数の略矩形状の図形２０、即ち図形２０ａ・２０ｂ・２０ｃが上より下へ向かって並べて描かれている。これら図形２０ａ〜２０ｃは、周方向の長さが互いに相違し、具体的には上から下の順に小となる。即ち一番上の図形２０ａのそれが最も大である。一方、軸方向の長さは互いに略等しい。また図形２０ａ〜２０ｃは、互いに離隔して描かれている。
【００３０】
凸状面２ａへ図形２０を描く際に用いられる塗料は、好ましくは防かび・防藻塗料や、蛍光塗料・夜光塗料などが用いられる。また例えば羽根の表面と異なる色の部材（シール等）を凸状面２ａへ貼り付けても良い。更には凸状面２ａの表面の模様・色彩から識別可能なものであれば、図形２０はこれらに限定されない。
【００３１】
ところで例えば回転体の外周面に任意の模様を描き、該回転体が高速で回転した場合、その回転速度が一定値を超えると、その外周面に描かれた図形があたかも静止した一本の線のように目に映る。言い換えれば途切れなく連続した図形のように観測者の目に映る。このような現象を残像現象というが、当該視覚的効果を利用して風速を判別できるように、図形２０ａ〜２０ｃの周方向の長さは、例えば以下のように決定される。
【００３２】
即ち図３に示すように図形２０ａの周方向の長さは、風速が３ｍ／ｓ以上において途切れなく連続した図形のように映るよう、適宜決定される。
また図４に示すように図形２０ｂの周方向の長さは、風速が６ｍ／ｓ以上において途切れなく連続した図形のように映るよう、適宜決定される。
また図５に示すように図形２０ｃの周方向の長さは、風速が１０ｍ／ｓ以上において途切れなく連続した図形のように映るよう、適宜決定される。
【００３３】
次に、第一実施形態に係る風速情報提供装置１００の作動について説明する。
【００３４】
ここで、（第１風速時の風速）＜（第２風速時の風速）＜（第３風速時の風速）であるとする。例えば第１風速時の風速は３ｍ／ｓ以上６ｍ／ｓ未満とし、第２風速時の風速は６ｍ／ｓ以上１０ｍ／ｓ未満、第３風速時の風速は１０ｍ／ｓ以上とする。
【００３５】
図２に示すように羽根２の凸状面２ａには、予め縦方向に異なる位置に複数の図形２０、すなわち図形２０ａ・２０ｂ・２０ｃが上より下へ向かって並べて描かれている。図形２０ａ〜２０ｃの周方向の長さは互いに相違し、風速に応じて前述の視覚的効果を奏するよう、より具体的には以下の如くである。
【００３６】
即ち図３に示すように図形２０ａの周方向の長さは、風速が３ｍ／ｓ以上において途切れなく連続した図形のように映るよう、適宜決定される。
また図４に示すように図形２０ｂの周方向の長さは、風速が６ｍ／ｓ以上において途切れなく連続した図形のように映るよう、適宜決定される。
また図５に示すように図形２０ｃの周方向の長さは、風速が１０ｍ／ｓ以上において途切れなく連続した図形のように映るよう、適宜決定される。
【００３７】
以上のように図形が描かれた羽根２は風を受けることにより、図１に示すように回転軸１・ロータ３・アーム４と共に回転軸１を中心として太線矢印の方向へ回転する。
以下、上記の風速状況毎に前記風速情報提供装置１００の作動を説明する。
【００３８】
（第１風速時）
例えば風速が３ｍ／ｓ以上６ｍ／ｓ未満であるときは、周方向の長さが大である図形２０ａは、図３に示すようにその残像現象により途切れなく連続した図形として観測者の目に映ることとなる。一方、周方向の長さが比して小である図形２０ｂや図形２０ｃは、その残像現象によりもとの図形より周方向に若干長い図形として観測者の目に映るが、図形２０ａのようには途切れなく連続した図形とはならない。従って羽根２が回転することにより図形２０ａはあたかも静止した連続状の一本の線のように映るのに対し、図形２０ｂや図形２０ｃは静止せず動き続ける不連続状の図形として映る。
従って凸状面２ａにおいて上述の視覚的効果により生じた線の数が一本（図形２０ａのみ）である場合には、その風速情報提供装置１００の設置地点における風速が３ｍ／ｓ以上６ｍ／ｓ未満であることがわかる。
【００３９】
（第２風速時）
同様に図４に示すように、凸状面２ａにおいて前述の視覚的効果により生じた線の数が二本（図形２０ａ及び図形２０ｂ）である場合には、その風速情報提供装置１００の設置地点における風速が６ｍ／ｓ以上１０ｍ／ｓ未満であることがわかる。
【００４０】
（第３風速時）
同様に図５に示すように、凸状面２ａにおいて前述の視覚的効果により生じた線の数が三本（図形２０ａ〜２０ｃのすべて）である場合、その風速情報提供装置１００の設置地点における風速が１０ｍ／ｓ以上であることがわかる。
【００４１】
以上のように、風を受けて羽根２が回転すると、凸状面２ａに描かれた図形２０は視覚的効果（残像現象）を奏する。即ち周方向の長さが大である図形（図形２０ａなど）は低速な回転によりあたかも静止した連続状の一本の線のように映り、一方、周方向の長さが小である図形（図形２０ｃなど）は高速な回転をもって初めて前記のような連続状の線のように映る。このような視覚的効果（残像現象）を利用することにより、風速情報提供装置１００の設置地点における風速の目安を４段階に分けて周辺の観測者に提供することができる。
【００４２】
また羽根２は垂直な回転軸１を中心として回転するので、図形２０による視覚的効果は回転軸１の外側全周に現れることとなる。従って観測者はどの地点にいても図形２０がどのように見えるかを確認することができる。更には風向きが急峻な変化を伴うような環境においても前述の視覚的効果は風速の目安のみを提供し続けるので、観測者は得られた情報の選別などをする必要がなく、従って容易に風速情報を入手することができる。
【００４３】
以上の如く第一実施形態における風速情報提供装置１００は、羽根２の側面（凸状面２ａ）に少なくとも一つの図形２０が付されており、風を受けて羽根２が回転すると、図形２０がその風速に応じて異なる視覚的効果を生ずるので、風速に応じて図形２０の見え方が異なり、視覚を通じて風速情報を提供することができる。また、風向きに応じて図形２０の見え方が異なることがない。また、風速情報提供装置１００を見る方角に応じて図形２０の見え方が異なることがない。また、羽根に図形２０を描くだけでよいので、構成が簡素である。
【００４４】
また、図形２０は羽根２の凸状面２ａの縦方向に異なる位置に複数付され、複数の図形２０のうち少なくとも一つの図形２０は他の図形２０と異なる周方向の長さを有するので、風速に応じて、少なくとも一つの図形２０は他の図形２０と異なる見え方を呈し、より詳細な風速情報を提供することができる。
【００４５】
なお第一実施形態では羽根２の凸状面２ａにのみ図形を描くとしたが、これに限定されず、例えばフラット状面２ｂにのみでも良いし、翼先端面２ｃや翼後端２ｄに描いても良い。即ち任意の風速において所定の視覚的効果さえ生じれば、前記図形の形状は自由に決定することができる。
また描画される図形２０の数や占める面積は図１や図２で示したものに限定されるものではなく、例えば風速の目安をより細分化して提供したい場合には、それに応じて周方向の長さの異なる図形を４以上描いてもよいし、或いは例えば風速が５ｍ／ｓ以上か否かさえわかれば良いのであれば、５ｍ／ｓの風速をもって前述の視覚的効果を呈する図形を１つ描画すれば十分である。また風速に応じた所定の視覚的効果さえ達成されていれば、描画される図形の占める面積や縦横比も自由に設定することができ、更には図形の形状は楕円などでも良く、図形の形状は任意に設定することができる。
【００４６】
[第二実施形態]
次に、図６乃至図８に基づいて本発明の第二実施形態に係る風速情報提供装置を説明する。
図６は本発明の第二実施形態に係る風速情報提供装置の全体図である。
図７は本発明の第二実施形態に係る風速情報提供装置のブロック図である。
図８は本発明の第二実施形態に係る風速情報提供装置の羽の斜視図である。
【００４７】
まず、図６及び図７に基づいて風速情報提供装置２００の構成を説明する。ただし、ここに示す風速情報提供装置２００は風速情報提供装置１００の要素をすべて有する態様であって、風速情報提供装置１００と同等の機能・形状を有する構成要素には、図６乃至図８において同じ符号を付す。また重複する部材に関しての説明は省くこととする。
【００４８】
図６及び図７に示すように風速情報提供装置２００は以下のように構成されている。
即ち回転軸１の下方にプーリ９ａを介して接続される発電機９と、発電機９で生成される交流電力の直流電力への整流機能等を備えたコントローラ１０と、回転軸１の回転速度を検出する回転速度検出器１１と、風速を数値で表示可能な風速表示器１２と、コントローラ１０において整流された直流電力を充電可能なバッテリ１３と、バッテリ１３を充電可能な太陽光発電装置１４と、が風速情報提供装置１００に追加されることで構成されている。
【００４９】
発電機９は、自然エネルギーの一種である風力エネルギーにより生じる運動エネルギーから交流電力を生成することができる。図６に示すように発電機９は回転軸１の下方においてプーリ９ａを介して接続されているが、必要に応じて適宜の変速機構を介しても良い。発電機９の出力側は、図７に示すコントローラ１０に接続されている。
【００５０】
図７に示すように前記コントローラ１０は、発電機９から出力された交流電力を直流電力に整流する整流部３０と、回転速度検出器１１により検出された回転軸１の回転速度を風速表示器１２に表示させる風速表示器制御部３１と、後述する発光素子２１を前記回転速度に応じて点灯・消灯させる発光素子制御部３２と、太陽光発電装置１４によるバッテリ１３の充電を制御する充電制御部３３と、から構成されている。
【００５１】
回転速度検出器１１は、例えばエンコーダから成り、回転軸１の回転速度に応じた回転速度信号（例えば、パルス信号）を前記の風速表示器制御部３１や発光素子制御部３２へ出力するようになっている。なお回転速度検出器１１は、羽根２の下面に磁石や反射板等の検出対象物を取り付け、この検出対象物を検出する毎に回転速度信号を出力するように構成されていても良い。またこれ以外にも、例えば発電機９の出力電圧や出力周波数を監視することによって間接的に回転速度を検出するように構成してもよい。
【００５２】
風速表示器１２は、コントローラ１０の風速表示器制御部３１へ接続されており、回転速度検出器１１で検出された回転速度を数値で表示する機能を有する。また風速表示器１２が稼働するのに必要とする電力はコントローラ１０から供給されており、外部に依存することはない。
【００５３】
バッテリ１３は、コントローラ１０の整流部３０に接続されており、配給される直流電力により充電する。またバッテリ１３から整流部３０へ電力を配給することも可能である。またバッテリ１３はコントローラ１０の充電制御部３３へも接続されており、バッテリ１３の電圧は常に監視されるよう構成されている。
【００５４】
太陽光発電装置１４は、半導体（シリコンなど）のｐｎ接合部に光を当てて生ずる起電力を利用して、光エネルギーを直接電気エネルギーに変換する装置であり、効率を向上させるために太陽光発電装置１４の半導体パネル面１４ｃは太陽の光を垂直に受けるように配置されることが好ましい。
太陽光発電装置１４は前記のバッテリ１３及び充電制御部３３へ接続されている。バッテリ１３の電圧が所定値未満となったとき、充電制御部３３は太陽光発電装置１４を稼働させ、太陽光発電装置１４によりバッテリ１３は充電する。例えば風がなく発電機９から十分に電力が供給されない場合などは、バッテリ１３は太陽光発電装置１４により充電される。
【００５５】
次に図８に基づいて発光素子２１に関して説明する。
羽根２の前記凸状面２ａには複数の発光素子２１が縦方向に異なる位置に設けられている。より具体的には発光素子２１は発光素子２１ａ・２１ｂ・２１ｃから成り、それぞれ図形２０ａ・２０ｂ・２０ｃに隣接して、或はその近傍に配置されている。
図７に示すようにそれぞれの発光素子２１は発光素子制御部３２へ接続されており、発光素子制御部３２は各発光素子２１の点灯および消灯を制御可能に構成されている。また発光素子２１の点灯に要する電力は前記の発電機９や太陽光発電装置１４により生成される電力により賄われる。
【００５６】
次に、図６乃至図８に基づいて、第二実施形態に係る風速情報提供装置２００の作動について説明する。ただし第一実施形態における作動と共通する説明は省く。
【００５７】
まず、発電機９による発電に関して説明する。
風を受けた羽根２が回転することにより、風力エネルギーが運動エネルギーへ変換される。図６に示すように当該運動エネルギーは回転軸１及びプーリ９ａを介して発電機９へ伝達される。変速機構が設けられている場合は、変速機構により適宜に増減速して発電機９へ伝達される。発電機９において、運動エネルギーから電気エネルギーである交流電力が生成される。
【００５８】
生成された交流電力はコントローラ１０の整流部３０において直流電力へ整流される（図７参照）。整流された直流電力は、前記の風速表示器制御部３１や発光素子制御部３２、バッテリ１３へ適宜配給される。また発電機９から配給される電力が十分でない場合、或いはバッテリ１３の電圧が低下したことを充電制御部３３が認識し、更なる充電を要する場合、充電制御部３３は太陽光発電装置１４を稼働させ、太陽光発電装置１４で生成される直流電力によりバッテリ１３の充電を開始する。また図示しないが太陽光発電装置１４で生成される直流電力はコントローラ１０へ直接供給される場合も考えられる。
【００５９】
次に、回転速度検出器１１と風速表示器１２と発光素子２１の作動に関して説明する。
【００６０】
回転軸１に設けられた回転速度検出器１１により、回転軸１の回転速度が検出される。検出された回転速度は、好適な信号（例えばパルス信号等）に変換され、コントローラ１０の風速表示器制御部３１や発光素子制御部３２へ送信される。風速表示器制御部３１は受信した信号を適宜演算することにより風速を求め、この風速は風速表示器１２へ送信される。風速表示器１２は、受信した前記風速を数値で表示する。表示方法として、例えば７セグメントＬＥＤや液晶パネルなどが考えられる。
【００６１】
また発光素子制御部３２は受信した前記信号に基づいて、発光素子２１ａ〜２１ｃのうちどの発光素子を点灯させるかを判断する（図８参照）。例えば上述の第１風速時においては発光素子２１ａのみを点灯させる。同様に第２風速時においては発光素子２１ａ・２１ｂを点灯させ、第３風速時においては発光素子２１ａ〜２１ｃのすべてを点灯させる。これにより第１風速時にはあたかも静止している線が一本映ることとなり、同様に第２風速時は二本、第３風速時には三本映ることとなる。従って観測者は、図形２０（第一実施形態参照）による上述した視覚的効果と同じ基準で風速を知ることができることとなる。
【００６２】
第二実施形態によれば、発光素子２１により風速情報を提供することで、昼夜を問わず風速情報を提供することができる。また風速表示器１２を備えることで、より具体的な数値により風速を提供することができる。またそれらを稼働させるための電力は発電機９および太陽光発電装置１４により賄われるので、外部電力に依存することがなく、風速情報提供装置２００の設置場所を自由に設定することができる。
【００６３】
以上の如く、第二実施形態における風速情報提供装置２００は、羽根２の側面（凸状面２ａ）に少なくとも一つの電灯（発光素子２１）が設けられ、風速に応じて発光素子２１の点灯を制御するので、視覚を通じて風速情報を提供することができる。また風向きに応じて発光素子２１の見え方が異なることがない。また風速情報提供装置２００を見る方角に応じて発光素子２１の見え方が異なることがない。加えて夜間でも風速情報を提供することができる。
【００６４】
また発光素子２１は羽根２の凸状面２ａの縦方向に異なる位置に複数設けられ、風速に応じて発光素子２１の各々の点灯を制御するので、より詳細な風速情報を提供することができる。
【００６５】
また第一実施形態における風速情報提供装置１００の構成に加え、羽根２の凸状面２ａに少なくとも一つの電灯が設けられ、風速に応じて発光素子２１の点灯を制御することにより風速情報を提供するので、風速情報提供装置２００の設定場所の環境（明暗等）に関わらず、風速情報を提供することができる。
【００６６】
同様に、第一実施形態における風速情報提供装置１００の構成に加え、発光素子２１は羽根２の凸状面２ａの縦方向に異なる位置に複数設けられ、風速に応じて発光素子２１の各々の点灯を制御するので、風速情報提供装置２００の設定場所の環境（明暗等）に関わらず、より詳細な風速情報を提供することができる。
【００６７】
また回転軸１の回転により電力を生成する発電機９を備えるので、発電機能を有する風速情報提供装置２００とできる。また発光素子２１で必要とする電力を発電機９から生成された電力により賄うことができるので、電力を外部に依存することがない。従って風速情報提供装置２００の設置場所を自由に設定することができる。
【００６８】
また風速を数値で表示する風速表示器１２を備え風速表示器１２は発電機９により生成された電力により稼働するので、より詳細な風速情報を提供することができ、またそれに要する電力を外部に依存しないので、風速情報提供装置２００の設置場所を自由に設定することができる。
【００６９】
また太陽光発電装置１４を備えるので、太陽光による発電機能を有する風速情報提供装置２００とできる。
【００７０】
本発明は、上記の好ましい実施形態に記載されているが、本発明はそれだけに制限されない。本発明の精神と範囲から逸脱することのない様々な実施形態が他になされることは理解されよう。さらに本実施形態において、本発明の構成による作用および効果を述べているが、これら作用および効果は一例であり、本発明を限定するものではない。
【００７１】
例えば第二実施形態において、風速表示器１２は風速に関する情報を数値により知らしめる代わりに、ＬＥＤ等の電灯を別途備え、風速に応じて点滅速度の変化する点滅に風速情報を提供してもよい。
また発光素子（所謂ＬＥＤ）２１に代えて、任意の発光部材を選択することができる。
【００７２】
また前述の第一実施形態に係る風速情報提供装置１００及び第二実施形態に係る風速情報提供装置２００は、風向きを検出可能な風向計を備えていることも考えられる。この場合、前記の風速表示器１２が当該風向計により検出された風向きも表示可能であることが好ましい。またこれに代えて、当該検出された風向きを表示可能な風向表示器を別途設けてもよい。
【図面の簡単な説明】
【００７３】
【図１】本発明の一実施形態に係る風速情報提供装置の全体図。
【図２】本発明の一実施形態に係る風速情報提供装置の羽根の斜視図。
【図３】本発明の一実施形態に係る風速情報提供装置の第１風速時に生じる視覚的効果の模式図。
【図４】本発明の一実施形態に係る風速情報提供装置の第２風速時に生じる視覚的効果の模式図。
【図５】本発明の一実施形態に係る風速情報提供装置の第３風速時に生じる視覚的効果の模式図。
【図６】本発明の他の実施形態に係る風速情報提供装置の全体図。
【図７】本発明の他の実施形態に係る風速情報提供装置のブロック図。
【図８】本発明の他の実施形態に係る風速情報提供装置の羽の斜視図。
【符号の説明】
【００７４】
１  回転軸
２  羽根
２０  図形
【図１】
2007003477.tif 000003
【図２】
2007003477.tif 000004
【図３】
2007003477.tif 000005
【図４】
2007003477.tif 000006
【図５】
2007003477.tif 000007
【図６】
2007003477.tif 000008
【図７】
2007003477.tif 000009
【図８】
2007003477.tif 000010